(57)【特許請求の範囲】
【請求項１】
摘み本体に嵌め込まれ、かつ操作部の外端が外方向に突出する一組の交差状の操作片と、摘み本体に取り外し可能に固定された操作片保持用カバーと、操作片の操作部を指で同時に半径内方向に押し込むと、各操作部から直交方向にそれぞれ延在し、かつ固定筒の係合溝に係合するように内設された一組のストッパーに係合する各脚部が同時に位置変位して固定筒に回転自在に嵌合する摘み本体のロック状態を解く構成であり、摘み本体を所定量回転する際、操作部の外端を指で同時に押し込みながら摘み本体を回転することを条件とする防犯サムターンに於いて、前記操作片保持用カバーを摘み本体から取り外し、かつ前記操作片及び該操作片用の付勢手段を取り外し、一方、前記各脚部が位置変位した格好の防犯機能殺しの差込み部材を摘み本体から固定筒の内部へと差込み、かつ差込み部材保持用カバーを摘み本体の先端部に固定したことを特徴とする防犯サムターン。
【請求項２】
請求項１に於いて、差込み部材保持用カバーの内壁面の中央部に防犯機能殺しの差込み部材が一体成形されていることを特徴とする防犯サムターン。
【発明の詳細な説明】
【技術分野】
【０００１】
本発明は、防犯サムターンに関し、特に、ボタン状、筒状等の摘みを所定量回転する際、摘みの半径外方向に突出する複数の操作部を指で同時に押し込みながら該摘みを回転することを条件とする防犯サムターンに関する。
【背景技術】
【０００２】
特許出願人は、特許文献１に記載の発明を出願した（ここでは「先願発明」という）。本願発明は、例えば特許文献１の先願発明に好適なので、まず、先願発明の構成に関して説明する。
【０００３】
特許文献１の特許請求の範囲又は明細書本文の課題を解決するための手段には、「先願発明の防犯サムターン１００」は、以下に列挙する構成要件から成る旨が記載されている。なお、用語及び符号は、特許文献１のものをそのまま用いている。
（Ａ）扉１に固定される基板３と、
（Ｂ）該基板３に固定される固定筒２１と、
（Ｃ）該固定筒２１に回転自在に内設され前記基板３に設けられる入出力部材１１に連結されるコア軸３５と、
（Ｄ）前記固定筒２１に回転自在に内設されるサムターン筒４３と、
（Ｅ）該サムターン筒４３に軸線直交方向で摺動自在に内設され該サムターン筒４３の外周から突出して前記固定筒２１に係合することで該サムターン筒４３の回転を阻止する一対のストッパー４９、５１と、
（Ｆ）前記サムターン筒４３に所定の遊び角を許容して連動回転し、該ストッパー４９、５１を進入させて前記係合を解除する方向の該ストッパー４９、５１の移動を可能にするストッパー退避凹部３８ａを外周に有したサムターンボス３８と、
（Ｇ）前記固定筒２１の外周に配設され、前記サムターンボス３８に取り付けられて屋内側へ突出する筒状の摘み４１と、
（Ｈ）脚部６３ａ、６５ａを有し、前記摘み４１の外周面から突出され、同時に押し込まれることで摘み４１の半径方向内側へスライドされ該脚部６３ａ、６５ａを介して前記ストッパー４９、５１の係合を解除する一対のボタン６３、６５と、
（Ｉ）該一対のボタン６３、６５を離反方向に付勢することで前記脚部６３ａ、６５ａを介して前記ストッパー４９、５１を係合方向に付勢するボタン付勢手段６６と、
（Ｊ）前記サムターン筒４３に軸線直交方向で摺動自在に内設され、付勢手段７１によって離間された一端部６７ｂ、６９ｂ同士の間隙で前記一対のストッパー４９、５１を挟むとともに、他端部６７ｃ、６９ｃ同士が接近方向に配置される一対の解除交差部材６７、６９と、
（Ｋ）前記サムターン筒４３に揺動自在に支持され前記コア軸３５に突設された突起板３９を軸線直交方向の両側から挟持し前記コア軸３５の回転入力で前記突起板３９によって開脚され、
（Ｌ）該開脚動作によって前記一対の解除交差部材６７、６９の他端部６７ｃ、６９ｃ同士を離反方向に移動して、前記一端部６７ｂ、６９ｂ同士で前記一対のストッパー４９、５１を係合解除方向に摺動させる二対の挟持板７３ａ、７３ｂ、７５ａ、７５ｂを備える構成。
【０００４】
上記構成は、発明の所期の目的及びその余の目的を達成するために、発明の特定要件を多少限定したものであるが、先願発明の特許出願当時の技術水準及び先願発明の明細書本文の発明の効果（段落００１３には、本発明に係る防犯サムターンによれば、ボタン押下による規制解除によって摘みが回転可能となるので、ボタンを押下しながら摘みに回転力を加えなければ摘みによる操作は行えず、これにより、挿入した針金や棒等を摘みに引っ掛ける等して、サムターン摘みを回転することによる不正解錠を阻止でき、防犯性を向上させることができると明記されている。）を参照にすると、先願発明の所期の目的或は先願発明の本質的部分（技術的思想の中核をなす特徴部分）は、次の通りと認められる。
【０００５】
すなわち、先願発明の本質的部分は、「摘み本体４１に先端部側から嵌め込まれ、かつ操作部４４の外端が外方向に突出する一組の交差状の操作片６３、６５と、前記摘み本体４１に取り外し可能に固定された操作片保持用カバー２５と、前記操作片の操作部４４を指で同時に半径内方向に押し込むと、各操作部から直交方向にそれぞれ延在し、かつ固定筒２１の係合溝５５に係合するように内設された一組のストッパー４９、５１に係合する各脚部６３ａ、６５ａが同時に位置変位して、前記固定筒２１に回転自在に嵌合する摘み本体４１のロック状態を解く構成であり、摘み本体４１を所定量回転する際、前記操作部の外端を指で同時に押し込みながら該摘み本体４１を回転することを条件とする防犯サムターン１００（本願発明の前提要件）」である。
【０００６】
次に、図１乃至図１２を参照にして先願発明の構成を説明する。なお、図１乃至図１１は、特許文献１のものをそのまま用いている。また、図１２は本願発明の構成に関する部分を補足する説明図である。
【０００７】
１は扉、５は扉の内壁面に固定された台座、３は台座の外壁面に固定されたサムターンケース（基板の一例としての錠箱）、７と９は固着手段、１００はサムターンケース３の外壁面に取付けられた防犯サムターンである。防犯サムターン１００の全体的構成及び特徴部分は前述した通りである。
【０００８】
１１は固定筒２１の後端部に回転可能に内設されたコア軸３５に固定された入出力部材で、この入出力部材１１はピン１３（図４）を介してデッドバー１５に係合している。
【０００９】
デッドバー１５は、防犯サムターン１００の摘み４１が回動されると、前記コア軸３５、入出力部材１１、ピン１３を介してサムターンケース３の左側又は右側から突出する。
【００１０】
１７はサムターンケース３内に設けられた接続プレートで、この接続プレート１７には図示しないシリンダー錠に連結されるジョイント軸１９が固定されている。１６はデッドバー１５をスライド方向両端へ付勢するつるまきバネである。
【００１１】
さて、防犯サムターン１００を構成する固定筒２１は、やや長筒状に形成され、その後端部はサムターンケース３に適宜に固定されている。固定筒２１の後端部の内部にはコア軸３５が回転自在に内設され、該コア軸３の挿入端部に入出力部材１１が一体的に設けられている。
【００１２】
固定筒２１の後端部寄りの内部には、サムターン筒４３が回転自在に設けられている。さらに、固定筒２１の先端側の内部には、摘み（「摘み本体」のこと）４１に取り付けられたサムターンボス３８が回転自在に内設されている。
【００１３】
ところで、先願発明のサムターンボス３８は、サムターン筒４３に所定の遊び角を許容して連動回転する。図７に示すように、このサムターンボス３８のコア軸３５側の面には半径方向外側に開放される一対のストッパー退避凹部３８ａが形成され、ストッパー退避凹部３８ａはストッパーを進入させて、ストッパーの係合を解除する方向の移動を可能にする。
【００１４】
また、サムターンボス３８のコア軸３５側の面には一対の干渉部８３が突設され、この干渉部８３にはクリックボールが当接する凹溝９１が形成されている。さらに、サムターンボス３８には、ストッパーの脚部が貫通する透孔２９が穿設されている。
【００１５】
次に、摘み４１は円筒状に形成され、先端部の横向き凹所（ボンタ収納溝）２２にはＴ字形状の操作片（ボタン）６３、６５が組み込まれ、かつ操作片６３、６５は、筒状摘み４１の先端部に固定された操作片保持用カバー２５に保持されている。この点について付言すると、摘み４１の屋内側端面に近接した外周には直径方向の両側で一対の凹み部３１が形成され、この凹み部３１には操作片（ボタン）の操作部４４の外端（押下部）が配置される。
【００１６】
次に、サムターン筒４３は筒状部４５を有し、筒状部４５には直径方向の両端に開口する切欠４７が形成されている。筒状部４５の後端面からは挟持板を支持する一対の軸４５ａ、４５ａがコア軸３５へ向かって突設されている。
【００１７】
次に、一つのストッパー４９は、脚部係合部４９ａ、解除面４９ｂを有する。また、もう一つのストッパー５１も前記ストッパー４９と同様に脚部係合部５１ａと、解除面５１ｂを有する。これらのストッパー４９、５１は、固定筒２１の内部にサムターン筒４３に嵌合した状態で一組配設されている。例えば一対のストッパー４９、５１は、さらにサムターン筒４３の半径方向外側に位置する係合部４９ｃ、５１ｃを有し、これらの係合部４９ｃ、５１ｃはストッパー退避凹部３８ａに進入可能となっている。
【００１８】
ストッパー４９、５１は、操作片（ボタン）６３、６５に設けられた脚部６３ａ、６５ａが脚部係合部４９ａ、５１ａにそれぞれ係合されることで、筒状部４５の半径方向外側へ摺動され、かつ筒状部４５の切欠４７から突出して、固定筒２１に内壁に形成された係合溝５５、５６に係合する。
【００１９】
付言すると、ストッパー４９、５１の係合部（係合端）４９ｃ、５１ｃは、各ストッパー４が操作片用の各付勢手段６６のバネ力により半径外方向に移動することにより、固定筒２１の各係合溝５５、５６に同時に係合する。これにより、サムターン筒４３の回動は不能となる。
【００２０】
一方、ストッパー４９、５１は、操作片６３、６５の操作力に基づき半径内方向へ摺動すると、それらの係合部４９ｃ、５１ｃは固定筒２１の係合溝５５、５６から同時に抜ける（係合解除）。
【００２１】
次に、図８を参照にして、摘み４１、操作片保持用カバー２５等の構成を説明する。摘み４１の屋内側端面には直径方向の横向き凹所（ボタン収容溝）２２が形成されている。横向き凹所２２の長手方向中央部にはボタン脚部貫通穴２３が穿設される。ボタン脚部貫通穴２３は固定筒２１の端面開口穴２４を介して固定筒２１の内部に連通する。摘み４１の屋内側端面には、横向き凹所２２に操作片６３、６５を収容した状態で、操作片保持用カバー２５が固定される。
【００２２】
操作片保持用カバー２５は、位置決め突起２６を摘み４１の位置決め孔２８に嵌入して位置決めされる。また、操作片保持用カバー２５は、この位置決めされた状態で、爪穴３０が係止孔３２に一致する。また、操作片保持用カバー２５にはネジ貫通孔３３が穿設され、操作片保持用カバー２５はネジ貫通孔３３に挿通されたビス３４がサムターンボス３８の固定ネジ部３６に螺合することでサムターンボス３８に固定される。
【００２３】
さらに、操作片保持用カバー２５の屋内側面にはビス３４の頭部が表出し、この頭部は操作片保持用カバー２５に係止されるビスカバー３７によって覆われる。ビスカバー３７は、操作片保持用カバー２５の爪穴３０に挿通した係止爪３７ａを、摘み４１の係止孔３２に係止することで摘み４１に固定される。
【００２４】
次に、図１、図５、図９、図１０、図１２等を参照にして操作片（ボタン）６３、６５の構成を説明する。図１と図１０を対比すると明らかなように、操作片６３、６５は、筒状摘み４１の横向き凹所２２乃至固定筒２１の内部に位置変位可能に組み込まれるが、一対の操作片６３、６５の左右或は上下の棒状操作部の外端部（押下部）４４は、筒状摘み４１の外周凹み部３１から若干突出している。
【００２５】
各操作片６３、６５は、棒状操作部の適宜部位から直交方向（コア軸３５の方向）に延在する脚部６３ａ、６５ａをそれぞれ有しており、これの脚部６３ａ、６５ａはストッパー４９、５１の脚部係合部４９ａ、５１ａに係合している。
【００２６】
各操作片６３、６５同士の間には付勢手段（付勢バネ）６６、６６が挟入され、付勢バネ６６は操作片６３、６５を離反方向へ付勢している。付言すると、操作片６３、６５は、付勢バネ６６によって離反方向へ配置されることで、脚部６３ａ、６５ａが水平に並ぶようになっている。
【００２７】
一対のストッパー４９、５１の脚部係合部４９ａ、５１ａは、図１で示すように固定筒２１の中心部側に位置している。これらの脚部係合部４９ａ、５１ａに各操作片６３、６５の脚部６３ａ、６５ａが交差状態に係合している（図１２参照）。
【００２８】
操作片６３、６５は、付勢バネ６６の付勢力に抗して接近方向へ押し込まれることで、脚部６３ａ、６５ａが互い違いに位置変位する。この時、各脚部６３ａ、６５ａの不番の段差状係合端部は、互いにすれ違い状に接近し、かつ対角線上に位置した所で停止する。これにより、ストッパー４９、５１を、筒状部４５の半径方向内側へ摺動させて、固定筒２１の係合溝５５との係合を解除させる。
【００２９】
次に、図５及び図６を参照にして解除交差部材６７、６９と挟持板７３ａ、７３ｂ、７５ａ、７５ｂの構成を説明する。固定筒２１の内部には、サムターン筒４３の軸線直交方向で摺動自在な一対の解除交差部材６７、６９が内設されている。
【００３０】
解除交差部材６７は、縦軸６７ａの上端で摘み４１側へ向かって突出する一端部としてのストッパー挟持片６７ｂと、縦軸６７ａの下端で錠箱側へ向かって突出する他端部としての離間片６７ｃとを有している。
【００３１】
また、解除交差部材６９は、縦軸６９ａの下端で摘み４１側へ向かって突出する一端部としてのストッパー挟持片６９ｂと、縦軸６７ａの上端で錠箱側へ向かって突出する他端部としての離間片６９ｃとを有している。
【００３２】
さらに、解除交差部材６７、６９は、ストッパー挟持片６７ｂ、６９ｂの間に挟入された付勢手段としての圧縮バネ７１によって、離間されたストッパー挟持片６７ｂ、６９ｂ同士の間隙で、一対のストッパー４９、５１を挟むとともに、離間片６７ｃ、６９ｃ同士が接近方向に配置される。この離間片６７ｃ、６９ｃ同士の間には、挟持板が配置される。
【００３３】
次に、サムターン筒４３の軸４５ａ、４５ａには、二対の挟持板７３ａ、７３ｂ、７５ａ、７５ｂが揺動自在に支持されている。挟持板７３ａ、７３ｂ、７５ａ、７５ｂは、コア軸３５の突起板３９を軸線直交方向の両側から挟持する。
【００３４】
付言すると、突起板３９を挟持した挟持板７３ａ、７３ｂ、７５ａ、７５ｂは、シリンダー錠が合鍵によって回転され、これに伴ってコア軸３５が回転されることで、この突起板３９によって開脚される。
【００３５】
挟持板７３ａ、７３ｂ、７５ａ、７５ｂは、この開脚動作によって、一対の解除交差部材６７、６９の他端部同士である離間片６７ｃ、６９ｃ同士を離反方向に移動して、一端部同士であるストッパー挟持片６７ｂ、６９ｂ同士で、一対のストッパー４９、５１を係合解除方向に摺動させる。
【００３６】
最後に、図９、図１０及び図１１を参照にして、防犯サムターン１００の主な作用を説明する。図９は操作片６３、６５の操作部４４の突出外端部を図示しない２本の指で摘むように押し込んだ状態の正面視からの説明図、図１０は図９の摘みの縦断面説明図、図１１は、図１のＤ−Ｄ断面における施錠状態を（ａ）、ボタン押し込み状態を（ｂ）に表した動作説明図である。
【００３７】
図１で示すように、各操作片（ボタン）６３、６５は、ボタン付勢手段６６、６６により、操作部４４の外端部が筒状摘み４１の外周凹み部３１から若干突出するように付勢されていることから、一組のストッパー４９、５１は、各操作片（ボタン）６３、６５の脚部６３ａ、６５ａを介して、固定筒２１の係合溝５５に係合する方向へ移動している。
【００３８】
付言すると、防犯サムターン１００の施錠状態の時、一組のストッパー４９、５１の各係合部４９ｃ、５１ｃは固定筒２１の対向する係合溝５５に同時に係合している。
【００３９】
そこで、防犯サムターン１００の施錠状態を解除するには、各操作片（ボタン）６３、６５の操作部４４を二本の指で摘み、かつ押し込む。各操作片（ボタン）６３、６５を同時に押し込むと、図１０で示すように、脚部６３ａ、６５ａが水平に並んだ状態から開脚される。これにより、図１１（ｂ）に示すように、一対のストッパー４９、５１は、筒状部４５の半径方向内側へと摺動され、係合溝５５から抜脱される。
【００４０】
したがって、先願発明の防犯サムターン１００は、筒状摘み４１を所定量回転する際、交差状操作片６３、６５の各操作部４４の外端部を２本の指で同時に押し込みながら該筒状摘み４１を回転することを条件（以下、これを「防犯機能」という。）とする。
【００４１】
しかしながら、先願発明の防犯サムターン１００は、高齢者、身体障害者等に対するバリヤフリーの観点から、考慮すべき点があった。
【００４２】
すなわち、先願発明を実施した場合に於いて、高齢者、身体障害者等から、防犯機能を無くして欲しいと言われた場合（防犯機能殺しの要望があったとき）、防犯サムターン１００を普通の一般のサムターンやその他のサムターンに取り替えなければならないという問題点があった。このような問題点は、特許文献２に記載の防犯サムターンも同様である。
【特許文献１】特開２００５−１８８１２６号公報
【特許文献２】特開２００５−４２４９８号公報
【発明の開示】
【発明が解決しようとする課題】
【００４３】
本発明の所期の目的は、先願発明の本質的事項を前提として、バリヤフリーの観点から、先願発明の防犯サムターンの一部の部品（交差状操作片と操作片用付勢手段）のみを取り替えるだけで、防犯サムターンを、防犯機能を有しない普通一般の通常のサムターンに変えることができることである。すなわち、本発明の所期の目的は、当業者にとって阻害要因となるものの、先願発明の防犯サムターンを通常のサムターンに短時間で変えることができることである。第２の目的は、扉側から使用中の防犯サムターンを取り外さなくても、極めて簡単に防犯機能殺しの差込み部材及び差込み部材保持用カバーを簡単にボタン状、筒状等の摘み（摘み本体）に装着することができることである。さらに、実施の前後を問わず、所望する場合、防犯サムターンから通常のサムターンへ、又は、通常のサムターンから防犯サムターンに自由に変更することができることである。
【課題を解決するための手段】
【００４４】
本発明の防犯サムターンは、摘み本体に嵌め込まれ、かつ操作部の外端が外方向に突出する一組の交差状の操作片と、摘み本体に取り外し可能に固定された操作片保持用カバーと、操作片の操作部を指で同時に半径内方向に押し込むと、各操作部から直交方向にそれぞれ延在し、かつ固定筒の係合溝に係合するように内設された一組のストッパーに係合する各脚部が同時に位置変位して固定筒に回転自在に嵌合する摘み本体のロック状態を解く構成であり、摘み本体を所定量回転する際、操作部の外端を指で同時に押し込みながら摘み本体を回転することを条件とする防犯サムターンに於いて、前記操作片保持用カバーを摘み本体から取り外し、かつ前記操作片及び該操作片用の付勢手段を取り外し、一方、前記各脚部が位置変位した格好の防犯機能殺しの差込み部材を摘み本体から固定筒の内部へと差込み、かつ差込み部材保持用カバーを摘み本体の先端部に固定したことを特徴とする。
【００４５】
ここで、「摘み」とは、固定筒に外嵌合又は内嵌合する摘み本体と、この摘み本体に差し込まれる操作片と、前記摘み本体の先端部に固定される操作片保持用カバーとを備えるものをいい、外観上の形態は特に問わない。
【発明の効果】
【００４６】
（ａ）実施の前後を問わず、所望する場合、ボタン状、筒状等の摘みを有する防犯サムターンから通常のサムターンへ、又は、通常のサムターンから防犯サムターンに自由に変更することができることができる。
（ｂ）先願発明の本質的事項を前提とするので、防犯サムターンの主な構成部材をそのまま利用することができる。
（ｃ）摘みの先端部に固定してある操作片用カバーを取り外すだけで、直ちに機能を変換する行為に着手することができる。
【発明を実施するための最良の形態】
【００４７】
以下、図１３至図２０に示す本発明を実施するための最良の形態により説明する。
【００４８】
（１）発明の実施の環境
図１３は、本発明の一実施例の斜視図である。この実施例は、差込み部材保持用カバーの内壁面の中央部に防犯機能殺しの差込み部材が一体成形されている。本発明は、前述したように、先願発明の本質的事項を前提とする。したがって、図１乃至図１２を参照にして説明した先願発明の構成をそのまま援用し、本発明の特徴部分に説明する。なお、用語並びに符号も極力同一又は同様のものを使用する。
【００４９】
（２）本発明の特徴部分
本発明の特徴部分は、「操作片保持用カバーを摘み本体の先端部から取り外し、かつ前記操作片及び該操作片用の付勢手段を取り外し、一方、前記各脚部が位置変位した格好の防犯機能殺しの差込み部材を前記横向き凹所から固定筒の内部へと差込み、かつ差込み部材保持用カバーを摘み本体の先端部に固定したこと」である。
【００５０】
（３）本願発明の関連する先願発明の主要
先願発明の防犯サムターのストッパー４９、５１の脚部係合部４９ａ、５１ａは、図１で示すように固定筒２１の中心部側に位置している。そして、これらの脚部係合部４９ａ、５１ａに各操作片６３、６５の脚部６３ａ、６５ａが交差状態に係合している（図１２参照）。
【００５１】
また、先願発明のストッパー４９、５１の係合部（係合端）４９ｃ、５１ｃは、固定筒２１内に配設された各ストッパー４９、５１が操作片用の各付勢手段６６のバネ力により半径外方向に移動することにより、固定筒２１の各係合溝５５、５６に同時に係合している。これにより、サムターン筒４３の回動は不能となっている。
【００５２】
一方、ストッパー４９、５１は、操作片６３、６５の操作力に基づき半径内方向へ摺動すると、それらの係合部４９ｃ、５１ｃは固定筒２１の係合溝５５、５６から同時に抜ける（係合解除）。
【００５３】
付言すると、「操作片６３、６５は、付勢バネ６６の付勢力に抗して接近方向へ押し込まれることで、脚部６３ａ、６５ａが互い違いに位置変位する。この時、各脚部６３ａ、６５ａの不番の段差状係合端部は、互いにすれ違い状に接近し、かつ対角線上に位置した所で停止する」。
【００５４】
（４）交差状操作片６３、６５を引き抜いた場合
先願発明では、筒状摘み４１の先端部から操作片保持用カバー２５を取り外し、次いで、前記一対の操作片６３，６５及び該操作片用の各付勢手段６６を取り外した場合、筒状摘み４１の先端部の横向き凹所（ボタン収容溝）２２が露呈する（図８参照）。そこで、直ちに、各脚部が位置変位した格好の防犯機能殺しの差込み部材を前記横向き凹所２２から固定筒２１の内部へと差込み、かつ差込み部材保持用カバー２５Ａを筒状摘み４１の先端部に固定することができる。
【００５５】
何故ならば、付勢手段６６を含む交差状操作片６３、６５を指で引き抜いた場合、一対のストッパー４９、５１の係合部４９ｃ、５１ｃを固定筒２１の係合溝５５に係合させる付勢手段６６が存在しなくなるので、必ずしもシリンダー錠に合鍵を差し込んで、出力部材１１乃至コア軸３５側から解除交差部材６７、６９等を介してストッパー４９、５１を解錠状態にセットする必要がなくなるからである。
【００５６】
付勢手段６６を取り除くと、ストッパー４９、５１は自動的に動き、それらの脚部６３ａ、６５ａの不番の段差状係合端部は、互いにすれ違い状に接近し、かつ対角線上に位置した所で停止する。したがって、この点、特許文献２に記載の発明と相違する。もちろん、逆（シリンダ錠）側からストッパー４９、５１を解錠状態（係合解除）にセットしも良い。
【００５７】
（５）本願発明の主な構成部材
図１３、図１４等を参照にして差込み部材保持用カバー２５Ａを説明する。図１３に示した本願発明の差込み部材保持用カバー２５Ａと、図８に示した先願発明の操作片保持用カバー２５の外観を比較すると、その相違点が一目瞭然である。
【００５８】
そこで、主な相違点について説明すると、本願発明の差込み部材保持用カバー２５Ａは、その内壁面の中央部に一体成形された脚状の防犯機能殺しの差込み部材６３ａ、６５ａを有しているのに対して、先願発明の操作片保持用カバー２５は、脚部６３ａ、６５ａを有していない。先願発明の脚部６３ａ、６５ａは、一対の操作片６３、６５に設けられている。
【００５９】
また、本願発明の差込み部材保持用カバー２５Ａは、図１４で示すように、差込み部材６３ａ、６５ａのストッパー用係合端部６３ｂ、６５ｂが、既にすれ違い状に接近し、かつ対角線上に位置している。
【００６０】
付言すると、本願発明の差込み部材６３ａ、６５ａ及びストッパー係合解除用係合端部６３ｂ、６５ｂの構成（形状）は、先願発明の一対のストッパー４９、５１が操作片６３、６５に操作力により係合解除へと位置変位した格好となっている。
【００６１】
また、本願発明の差込み部材保持用カバー２５Ａは、その内壁面の中央部に筒状摘み４１の横向き凹所（ボタン収容溝）２２に嵌まり合う杆状の嵌入部２２Ａが突出形成されている。
【００６２】
なお、本願発明に於いても、ストッパー係合解除用係合端部６３ｂ、６５ｂを有する差込み部材６３ａ、６５ａと差込み部材保持用カバー２５Ａとをそれぞれ別体に成形することもできる。この場合には、前記差込み部材６３ａ、６５ａは、横向き凹所（ボタン収容溝）２２に嵌まり合う杆状の嵌入部２２Ａを有する（Ｔ字形状にする）。その余の部分には、先願発明と同一の符号を付して重複する説明を割愛する。
【実施例】
【００６３】
発明の実施の形態で示した実施例に於いて、摘み４１が筒状の実施例に適用したが、特許文献２に記載の防犯サムターンにも同様の技術的思想を適用することができる。特許文献２に記載の防犯サムターンの摘み４１は、表裏面が板状の形態であるが、この板状摘み４１の中に、操作外端が前記表裏面の切欠部分から反対方向にそれぞれ突出する一対の交差状操作片を揺動自在に組込み、その余の構成を特許文献１の先願発明の本質的事項を採用している。
【００６４】
すなわち、分解可能なサムターンの摘み４１を固定筒の先端部から取り外し、操作片用の揺動軸をサムターンの摘み４１から引き抜き、かつ一対の交差状操作片をサムターンの摘み４１から取り外し、次いで、各脚部が位置変位した格好の防犯機能殺しの差込み部材を前記サムターンの摘み４１に装着し、かつサムターンの摘み４１ーを固定筒内に装着することができる。なお、用語と符号は、特許文献２に記載のものを便宜上用いている。
【００６５】
また、特許文献１に記載の摘み本体４１は筒状であるが、本発明の摘みは、摘み本体４１が必ずしも筒状である必要はない。本明細書で定義した「摘み」の概念に含まれるものであって、発明の所期の目的を達する限り、外観上の形状や嵌合態様を問わず、摘みに該当する。
【産業上の利用可能性】
【００６６】
本発明は、主に錠前や建具の業界で利用される。
【図面の簡単な説明】
【００６７】
図１乃至図１２は本願発明の適用対象となる先願発明を示す各説明図。図１３乃至図２０は本願発明の一実施例を示す各説明図。
【図１】防犯サムターンの縦断面図。
【図２】防犯サムターンの水平断面図。
【図３】図１のＡ−Ａ矢視図。
【図４】図１のＢ−Ｂ矢視図。
【図５】防犯サムターンの分解図。
【図６】ストッパー近傍部材の分解斜視図。
【図７】サムターンボスの拡大斜視図。
【図８】摘み近傍部材の分解斜視図。
【図９】ボタン押下状態の摘みの正面図。
【図１０】摘みの縦断面図。
【図１１】図１Ｄ−Ｄ断面における施錠状態を（ａ）、シリンダー錠回転状態を（ｂ）に表した動作説明図。
【図１２】操作片（ボタン）と付勢手段とストッパーとの関係示す概略説明図。
【図１３】本願発明の主要部材の斜視図（裏側斜視図）。
【図１４】主要部材の裏側を示す説明図（基準図としての正面図とする）。
【図１５】主要部材の表側を示す説明図（基準図に対する背面図）。
【図１６】図１４の基準図に対する右側面図。
【図１７】図１４の基準図に対する平面図。
【図１８】図１４の１８−１８線断面図。
【図１９】図１４の１９−１９線断面図。
【図２０】本願発明の主要部材を装着する際の概略説明図。
【符号の説明】
【００６８】
１００…防犯サムターン、３…基板（サムターンケース）、１１…出力部材、２１…固定筒、４１…摘み、２２…横向き凹所（ボタン収容溝）、２２Ａ…嵌入部、２５…操作片保持用カバー、２５Ａ…差込み部材保持用カバー、３５…コア軸、３８…サムターンボス、４３…サムターン筒、４９、５１…ストッパー、４９ａ、５１ａ…ストッパーの脚部係合部、４９ｂ、５１ｂ…ストッパーの解除面、４９ｃ、５１ｃ…ストッパーの半径方向外側に位置する係合部、６３，６５…交差状操作片（ボタン）、６６…操作片用付勢手段（ボタン付勢バネ）、６３ａ、６５ａ…差込み部材（操作片の脚部）、６３ｂ、６５ｂ…ストッパー係合解除用係合端部。
【図１】
0004953938.tif 000002
【図２】
0004953938.tif 000003
【図３】
0004953938.tif 000004
【図４】
0004953938.tif 000005
【図５】
0004953938.tif 000006
【図６】
0004953938.tif 000007
【図７】
0004953938.tif 000008
【図８】
0004953938.tif 000009
【図９】
0004953938.tif 000010
【図１０】
0004953938.tif 000011
【図１１】
0004953938.tif 000012
【図１２】
0004953938.tif 000013
【図１３】
0004953938.tif 000014
【図１４】
0004953938.tif 000015
【図１５】
0004953938.tif 000016
【図１６】
0004953938.tif 000017
【図１７】
0004953938.tif 000018
【図１８】
0004953938.tif 000019
【図１９】
0004953938.tif 000020
【図２０】
0004953938.tif 000021